【事件の表示】
　平成　９年特許願第３４２７５７号「レンズ装置、カメラ装置及びカメラシステム」拒絶査定不服審判事件〔平成１１年　７月　２日出願公開、特開平１１−１７４３０９〕について、次のとおり審決する。
【結　論】
　本件審判の請求は、成り立たない。
【理　由】
１．手続の経緯
　本願は、平成９年１２月１２日の出願であって、平成１５年１２月１日付けで拒絶査定がなされ、これに対し、平成１６年１月８日に拒絶査定に対する審判請求がなされるとともに、同年２月９日付けで手続補正がなされたものである。　
　
２．本願発明
　本願の請求項１に係る発明は、平成１６年２月９日付けの手続補正により補正された明細書及び図面の記載からみて、特許請求の範囲の請求項１に記載された事項により特定される以下のとおりのものと認める。（以下、「本願発明」という。）
「【請求項１】　ズーム動作を行う変倍レンズ手段と、
　上記変倍レンズ手段を操作するレンズ側ズーム操作手段と、
　上記レンズ側ズーム操作手段の第１のズーム操作情報と上記変倍レンズ手段のズーム位置情報とを出力するレンズ側情報出力手段と、
　外部からの情報を入力するレンズ側情報入力手段と、
　上記変倍レンズ手段のズーム動作を制御する変倍制御手段と
　を有するレンズ装置と、
　被写体を撮像し画像信号を出力する撮像手段と、
　上記レンズ側情報出力手段から上記第１のズーム操作情報とズーム位置情報とを入力するカメラ側情報入力手段と、
　上記変倍レンズ手段に対する第２のズーム操作情報を入力するカメラ側ズーム操作手段と、
　上記第２のズーム操作情報と上記変倍レンズ手段のズーム動作を禁止する光学ズーム禁止情報とを上記レンズ側情報入力手段に出力するカメラ側情報出力手段と、
　上記画像信号を電子的に拡大処理する電子ズーム手段と、
　上記電子ズーム手段を制御する電子ズーム制御手段と
　を有するカメラ装置とを備え、
　上記電子ズーム制御手段における電子ズームを行うか否かの判断と上記変倍制御手段にて上記変倍レンズ手段によるズーム動作を行うか否かの判断とを、共に上記第２のズーム操作情報よりも優先して上記第１のズーム操作情報と上記ズーム位置情報とに基づいてそれぞれ行い、電子ズーム実行中には上記カメラ装置から上記レンズ装置に上記光学ズーム禁止情報を出力することを特徴とするカメラシステム。」
　なお、上記手続補正のうち特許請求の範囲に係る補正は、明りようでない記載の釈明を目的とするものに該当する。
　
３．引用刊行物に記載された発明
　本願出願前に頒布され、原査定の拒絶の理由に引用された特開平９−２４３８９９号公報（以下「引用刊行物」という。）には、「撮影レンズ及びそれを用いた光学機器」の発明に関して、以下の事項が記載されている。
＜記載事項１＞
「【００６６】この他本発明は、光学ズーム手段を有した撮影レンズを電子ズーム手段を有したカメラ本体に着脱自在に装着するようにした光学機器において、光学ズーム手段と電子ズーム手段の駆動を適切に制御することにより全体的な変倍動作を適切に行い、自然なズーム操作感が得られ、又良好なる画像が得られる光学機器の提供を目的とする。」
＜記載事項２＞
「【００６７】
【課題を解決する為の手段】本発明の撮影レンズは、
(1-1)変倍部を有する撮影レンズの一部にその光軸を回転軸とするリング部材を設け、該リング部材の回転に伴う変化量を検出手段で検出し、該検出手段からの検出信号に基づいて制御手段により該変倍部を光軸方向に駆動制御していることを特徴としている。」
＜記載事項３＞
「【００７５】本発明の光学機器は、
(2-1) 構成要件(1-1) の撮影レンズを用いて所定面上に被写体像を形成していること。
【００７６】(2-2) 構成要件(1-1) の撮影レンズをカメラ本体に着脱可能に装着し、該撮影レンズを用いて該カメラ本体内の撮像面上に被写体像を形成していること。等、を特徴としている。
【００７７】(2-3) カメラ用ＣＰＵを有したカメラ本体にレンズ用ＣＰＵを有した撮影レンズを着脱可能に装着し、該カメラ用ＣＰＵとレンズ用ＣＰＵで相互に情報通信を行うようにした光学機器において、該カメラ本体にはズーム操作手段と該ズーム操作手段により駆動される電子ズーム手段が設けられており、該撮影レンズには光学ズーム手段が設けられており、該カメラ用ＣＰＵ又はレンズ用ＣＰＵは該ズーム操作手段によりズーム操作がなされた場合、該電子ズーム手段がＯＮ状態にあるときは該電子ズーム手段の駆動を優先させ、該電子ズーム手段がＯＦＦ状態にあるときは該光学ズーム手段の駆動を優先させていることを特徴としている。」
＜記載事項４＞
「【００７８】特に、
(2-3-1) 前記ズーム操作手段によりズーム操作がなされた場合、前記電子ズーム手段がＯＮ状態にあるときは該電子ズーム手段の駆動を優先させ、該電子ズーム手段がＯＦＦ状態にあるときは前記光学ズーム手段の駆動を優先させるプログラムが前記レンズＣＰＵ内に設けられており、前記カメラＣＰＵから該レンズＣＰＵ側へ、該電子ズーム手段のＯＮ−ＯＦＦ状態と該ズーム操作手段のズーム操作情報が入力されていること。
【００７９】(2-3-2) 前記ズーム操作手段によりズーム操作がなされた場合、前記電子ズーム手段がＯＮ状態にあるときは該電子ズーム手段の駆動を優先させ、該電子ズーム手段がＯＦＦ状態にあるときは前記光学ズーム手段の駆動を優先させるプログラムが前記カメラＣＰＵ内に設けられており、前記レンズＣＰＵから該カメラＣＰＵ側へ、前記光学ズーム手段のズーム位置情報が入力されていること。等、を特徴としている。」
＜記載事項５＞
「【００８４】
【発明の実施の形態】図１は本発明の実施形態１の要部ブロック図である。図中、４１８は撮影レンズであり、マウント面を介してカメラ本体４１９に着脱可能に装着されている。」
＜記載事項６＞
「【００８７】本実施形態は、所謂「電子リング」と称するようなマニュアルズーム環（ＭＺ環，リング部材）５０６の回動操作により変倍部（１１２，１１４）を光軸上移動させてズーミング（変倍）を行う場合を示している。」
＜記載事項７＞
「【００８８】（略）５０５はリング部材検出手段（検出手段）であり、リング部材５０６の回転情報を検出している。
【００８９】１４９は変倍群検出手段（ズームエンコーダー）であり、変倍群１１２の光軸上の位置を検出し、ズームレンズのズーム位置を求めている。１４５は変倍群駆動手段（ズームモータ）であり、変倍群１１２を駆動している。」
＜記載事項８＞
「【００９２】４１０はレンズマイコン（レンズ制御手段，レンズＣＰＵ）であり、ズームレンズの各種の駆動を制御している。」
＜記載事項９＞
「【００９４】１５１は撮像素子であり、ＣＣＤ等から成っており、その面上にはズームレンズＺＬによる被写体像が形成されている。１５２はカメラ信号処理回路であり、ＣＣＤ１５１からの信号を処理している。５０３はＡ／Ｄ変換器であり、カメラ信号処理回路１５２からのアナログ映像信号をデジタル映像信号に変換している。５０４はメモリ（記憶手段）であり、Ａ／Ｄ変換器５０３からのデジタル映像信号を記憶している。１５７はズーム操作手段であり、撮影者がズーム操作によりワイド側からテレ側へ又はテレ側からワイド側へのズーミングを行っている。４０９はカメラマイコン（カメラ本体マイコン，カメラ用ＣＰＵ）であり、ズーム操作手段１５７からのズーム操作信号に基づいて電子ズーム又は光学ズームを行っている。
【００９５】５０２は電子ズームであり、カメラマイコン４０９からの信号（ズーム倍率）に基づいてメモリ５０４に記憶したデジタル映像信号を処理して、例えばトリミング等をして電子ズーム倍率を設定している。
【００９６】前述の各要素５０２，５０４等は電子ズーム手段の一要素を構成している。レンズマイコン４１０とカメラマイコン４０９は接点ブロックを介して各種の信号の授受を行っている。
【００９７】（略）そしてリング部材検出手段５０５からの信号に基づいて制御手段（レンズマイコン）４１０で変倍部（１１２，１１４）を光軸上移動させて変倍を行っている。」
＜記載事項１０＞
「【０１２０】次に本発明の実施形態２について説明する。本実施形態は図１で示したのと同様のブロック構成より成り、リング部材を有する交換レンズを用い、カメラ本体側に電子ズームを設けて、ズーミング操作により光学ズームと電子ズームを行う場合を示している。
【０１２１】本実施形態は表−１の動作Ｓ２に相当している。
【０１２２】図９は本実施形態においてレンズマイコン４１０でズーミング動作を行うときのフローチャートである。
【０１２３】まず、ステップ６０１でスタートする。ステップ６０２でリング部材５０６の回動が操作者によって行われたかどうかを判別し、行われていなければステップ６０４にてカメラ本体側のズーム操作手段１５７からの状況を判別する。この際にはカメラ（本体）マイコン４０９より接点部（接点ブロック）を介してレンズマイコン４１０に送られたカメラ側のズームスイッチ１５７の操作状況が必要となる。ここでもズーム操作が行われていなければＮとなり、スタートへ戻る。又仮にリング部材５０６とカメラ本体側のズームスイッチ１５７が両方操作されているような場合では、この例のフローチャートではリング部材５０６の操作が第１優先となる。この順位付けはステップ６０２とステップ６０４を入れ換えることによって対応している。」
＜記載事項１１＞
「【０１２９】一方、ステップ６０３の判別の結果がＮ、即ちワイド側からテレ側方向へのズーミング指示であった場合は、ステップ６１０に進む。ここでステップ６０６と同じくカメラマイコン４０９より通信されてきた電子ズームの状況が判別される。電子ズームがＯＮしていればステップ６１１で電子ズームによりテレ側にズームする。又電子ズームＯＦＦであればステップ６１２にて第２群を光軸方向へ移動することで光学ズームによる変倍を行い、光学ズームのテレ端に達したら（ステップ６１３がＹ）電子ズームへ引き渡す。
【０１３０】図１０は以上述べてきたズーミング動作における光学ズームと電子ズームの組み合わせの内容を示す説明図である。図１０（Ａ）はトータルのズーム倍率を示す。この内訳を同図（Ｂ），（Ｃ）に示すと、ワイド端からは、まず図１０（Ｃ）に示すように光学ズームで倍率が変化し、光学ズームのテレ端より高倍率側を電子ズーム域としている。この考えは図８で示した考え方と同様である。
【０１３１】以上のように本実施形態ではカメラ本体側にズーム操作手段１５７を設けて、ズーム操作手段１５７でズーム操作を行った場合、電子ズーム５０２がズーム位置（ＯＮ状態，例えばズーム倍率が１２倍〜２４倍の範囲内）にあるときは電子ズームを優先させてズーミングを行っている。」
＜記載事項１２＞
「【０１４０】次に本発明の実施形態３について説明する。本実施形態は撮影者がリング部材５０６を回動することによって第２群と第４群をメカ的なカム機構等により直接移動させて変倍（ズーミング）動作を行う場合を示している。
【０１４１】図１１は本実施形態のズーミング動作をレンズマイコン４１０側で行う場合のフローチャートである。ここで変倍レンズ（第２群）がテレ端になると１が立つテレ端フラグを設定する。ステップ７０１でスタートし、ステップ７０２でリング部材のズーム操作の有無が判別される。Ｎの場合ステップ７０４でカメラ本体側のズーム操作が判別される。尚、この２つのズーム操作の順位付けは実施形態１でも説明した様に逆転しても構わない。
【０１４２】ここで想定した撮影レンズではリング部材のズーム操作で直接、変倍レンズ群の操作を行っている。
【０１４３】ステップ７０３以降は基本的に実施形態１の図９のステップ６０３以降と一致している。即ち、カメラ本体側のズームスイッチ操作が行われた時のみ光学ズームのテレ端より高倍側に電子リングをつなげ電子ズームを行うトータルなズーミング動作が達成される。
【０１４４】一方、ステップ７０２でリング部材のズーム操作（回動）が検知されるとステップ７０５で回動操作方向が判別される。この方向がテレ側からワイド側への操作であった場合、ステップ７１６でテレ端フラグを判別する。
【０１４５】（略）
【０１４６】尚、ズーム端であることの判別は前述のボリュームエンコーダーの出力等で判別している。（略）」
＜記載事項１３＞
「【０１４６】（略）従ってステップ７１６でフラグが１であるときには可能性として電子ズームがＯＮの場合がある。ステップ７１８ではテレ端からワイド側への操作があったことが通信にてレンズマイコン４１０からカメラマイコン４０９へ送られる。ステップ７２０ではテレ端ではなくなったので、フラグを０にする。一方、ワイド側からテレ側方向への操作の場合はステップ７１７にて変倍群１１２がテレ端へ達したかどうかが判別され、達した場合にはステップ７１９でテレ端フラグに１を立てるものである。
【０１４７】図１２はこのうちステップ７１８でテレ側からワイド側方向への光学ズームの操作が行われたことがレンズマイコン４１０からカメラマイコン４０９へ通信されたことを受けたカメラマイコン４０９のフローチャートである。
【０１４８】図１２においてステップ８０１にてスタートする。ステップ８１１で表−１のＴ１かＴ２かどちらのレンズタイプであるかが判別される。ここではＴ２（メカ的にリング操作と変倍レンズ群の移動が直結）の場合なので判別はＹとなり、ステップ８１２に至る。ステップ８１２でステップ７１８からの通信を判別し、レンズ側でリング部材の操作が行なわれたかが判別される。行なわれるとステップ８１３でカメラ本体側に設けられた電子ズームのＯＮ，ＯＦＦ状態が判別される。ＯＮにありながら、光学的変倍を行うと画質劣化を伴ったままなので、ここではステップ８１４で瞬時に電子ズームをＯＦＦにする。」
　
　そして、図１の記載からみて、レンズ撮影レンズに設けられたレンズマイコン４１０は、
（１）カメラマイコン４０９にレンズ撮影レンズ側の情報を出力する
（２）カメラマイコン４０９からカメラ本体側の情報を入力する
（３）変倍部（１１２，１１４）のズーミング（変倍）を制御する
ことを読み取ることができる。
　
　同じく、図１の記載からみて、カメラ本体４１９に設けられたカメラマイコン４０９は、
（１）レンズマイコン４１０からレンズ撮影レンズ側の情報を入力する
（２）情報をレンズマイコン４１０に出力する
（３）電子ズーム５０２を制御する
ことを読み取ることができる。
　
　引用刊行物１に記載された光学機器は、撮影レンズ４１８とカメラ本体４１９とを備えている（記載事項３）。
　
　撮影レンズ４１８は、以下の構成を有する。
（１）ズーミング（変倍）を行う変倍部（１１２，１１４）（記載事項６）
（２）上記変倍部（１１２，１１４）を光軸上移動させるリング部材５０６（記載事項６）
（３）変倍部（１１２，１１４）を光軸上移動させて変倍を行うレンズマイコン４１０（記載事項９、図１１のフローチャートにおいて、「変倍レンズ群をワイド方向へ駆動」（７０９）の処理を有する点）
　
　カメラ本体４１９は、以下の構成を有する。
（１）被写体像の信号をデジタル映像信号として出力するＣＣＤ１５１、カメラ信号処理回路１５２、Ａ／Ｄ変換器５０３、メモリ５０４からなる手段（記載事項９）
（２）変倍部（１１２，１１４）のズーム操作信号を入力するズーム操作手段１５７（記載事項９、図１）
（３）デジタル映像信号をトリミング等する電子ズーム５０２（記載事項９）
　
　したがって、上記記載事項１〜１３及び図１に基づけば、引用刊行物には
「ズーミング（変倍）を行う変倍部（１１２，１１４）と、
上記変倍部（１１２，１１４）を光軸上移動させるリング部材５０６と、
カメラマイコン４０９にレンズ撮影レンズ側の情報を出力し、カメラマイコン４０９からの情報を入力し、変倍部（１１２，１１４）を光軸上移動させて変倍を行うレンズマイコン４１０と、
を有する撮影レンズ４１８と、
　被写体像の信号をデジタル映像信号として出力するＣＣＤ１５１、カメラ信号処理回路１５２、Ａ／Ｄ変換器５０３、メモリ５０４からなる手段と、
変倍部（１１２，１１４）のズーム操作信号を入力するズーム操作手段１５７と、
デジタル映像信号をトリミング等する電子ズーム５０２と、
上記レンズマイコン４１０からの上記レンズ撮影レンズ側の情報を入力し、情報をレンズマイコン４１０に出力し、電子ズーム５０２を制御する、カメラマイコン４０９とを備えたカメラ本体４１９とを備えた光学機器。」の発明（「以下、「引用発明」という。）が記載されている。
　
４．対比
　本願発明と引用発明とを比較する。
　
（１）引用発明の「撮影レンズ４１８」と本願発明の「レンズ装置」との関係について
　ア．引用発明の「ズーミング（変倍）」は本願発明の「ズーム動作」に相当する。
　引用発明の「変倍部（１１２，１１４）」、「光軸上移動させる」は、本願発明の「変倍レンズ手段」、「操作する」に相当し、また、「リング部材５０６」は撮影レンズ４１８の構成要素であるから、引用発明の「リング部材５０６」は、本願発明の「レンズ側ズーム操作手段」に相当する。
　イ．引用発明の「レンズマイコン４１０」の機能のうち、「カメラマイコン４０９に撮影レンズ４１８側の情報を出力」する機能と本願発明の「レンズ側情報出力手段」の「レンズ側ズーム操作手段の第１のズーム操作情報と上記変倍レンズ手段のズーム位置情報とを出力する」機能とは、レンズ側の情報を出力する点で共通する。
　ウ．引用発明の「レンズマイコン４１０」の機能のうち、「カメラマイコン４０９からの情報を入力」する機能と本願発明の「レンズ側情報入力手段」の「外部からの情報を入力する」機能とは、外部からの情報を入力する点で共通する。
　エ．引用発明の「レンズマイコン４１０」の機能のうち、「変倍部（１１２，１１４）を光軸上移動させて変倍を行う」機能は、本願発明の「変倍制御手段」の「変倍レンズ手段のズーム動作を制御する」機能に相当する。
　オ．してみると、引用発明の「レンズマイコン４１０」は、本願発明の「レンズ側情報出力手段」、「レンズ側情報入力手段」、「変倍制御手段」に相当する。
　カ．引用発明の「撮影レンズ４１８」は本願発明の「レンズ装置」に相当する。
　
（２）引用発明の「カメラ本体４１９」と本願発明の「カメラ装置」との関係について
　ア．引用発明の「被写体像の信号をデジタル映像信号として出力するＣＣＤ１５１、カメラ信号処理回路１５２、Ａ／Ｄ変換器５０３、メモリ５０４からなる手段」は、本願発明の「被写体を撮像し画像信号を出力する撮像手段」に相当する。
　イ．引用発明の「変倍部（１１２，１１４）のズーム操作信号」、「ズーム操作手段１５７」は本願発明の「変倍レンズ手段に対する第２のズーム操作情報」、「カメラ側ズーム操作手段」に相当する。
　ウ．引用発明の「デジタル映像信号をトリミング等する電子ズーム５０２」は本願発明の「画像信号を電子的に拡大処理する電子ズーム手段」に相当する。
　エ．引用発明の「カメラマイコン４０９」の機能のうち、「レンズマイコン４１０からの上記レンズ撮影レンズ側の情報を入力」する機能と本願発明の「カメラ側情報入力手段」の「レンズ側情報出力手段から第１のズーム操作情報と変倍レンズ手段のズーム位置情報とを入力する」機能とは、レンズ側情報出力手段からのレンズ側の情報を入力する点で共通する。
　オ．引用発明の「カメラマイコン４０９」の機能のうち、「情報をレンズマイコン４１０に情報を出力」する機能と本願発明の「カメラ側情報出力手段」の「第２のズーム操作情報と上記変倍レンズ手段のズーム動作を禁止する光学ズーム禁止情報とを上記レンズ側情報入力手段に出力する」機能とは、情報をレンズ側情報入力手段に出力する点で共通する。
　カ．引用発明の「カメラマイコン４０９」の機能のうち「電子ズームを制御」する機能は本願発明の「電子ズーム手段」の「電子ズーム手段を制御する」機能に相当する。
　キ．してみると、引用発明の「カメラマイコン４０９」は、本願発明の「カメラ側情報入力手段」、「カメラ側情報出力手段」、「電子ズーム制御手段」に相当する。
　ク．引用発明の「カメラ本体４１９」は本願発明の「カメラ装置」に相当する。
　
　引用発明の対象である「光学機器」は「撮影レンズ４１８」と「カメラ本体４１９」からなるシステムといえるから、本願発明の対象である「カメラシステム」に相当する。
　
　したがって、両者は、
「ズーム動作を行う変倍レンズ手段と、
　上記変倍レンズ手段を操作するレンズ側ズーム操作手段と、
　レンズ側の情報を出力するレンズ側情報出力手段と、
　外部からの情報を入力するレンズ側情報入力手段と、
　上記変倍レンズ手段のズーム動作を制御する変倍制御手段と
　を有するレンズ装置と、
　被写体を撮像し画像信号を出力する撮像手段と、
　上記レンズ側情報出力手段からレンズ側の情報を入力するカメラ側情報入力手段と、
　上記変倍レンズ手段に対する第２のズーム操作情報を入力するカメラ側ズーム操作手段と、
　情報を上記レンズ側情報入力手段に出力するカメラ側情報出力手段と、
　上記画像信号を電子的に拡大処理する電子ズーム手段と、
　上記電子ズーム手段を制御する電子ズーム制御手段と
　を有するカメラ装置とを備えたことを特徴とするカメラシステム。」の点で一致するが、以下の点で相違する。
　
[相違点１]
　レンズ側情報出力手段が出力し、カメラ側情報入力手段に入力するレンズ側の情報が、本願発明は、レンズ側ズーム操作手段の第１のズーム操作情報と（上記変倍レンズ手段の）ズーム位置情報であるのに対して、引用発明は、そのように限定されていない点。
[相違点２]
　カメラ側情報出力手段がレンズ側情報入力手段に出力する情報が、本願発明は、第２のズーム操作情報と変倍レンズ手段のズーム動作を禁止する光学ズーム禁止情報であるのに対して、引用発明は、そのように限定されていない点。
 [相違点３]
　本願発明は、電子ズーム制御手段における電子ズームを行うか否かの判断と変倍制御手段にて変倍レンズ手段によるズーム動作を行うか否かの判断とを、共に第２のズーム操作情報よりも優先して第１のズーム操作情報とズーム位置情報とに基づいてそれぞれ行うのに対して、引用発明は、そのように限定されていない点。
 [相違点４]
　本願発明は、電子ズーム実行中にはカメラ装置からレンズ装置に光学ズーム禁止情報を出力するのに対して、引用発明は、そのように限定されていない点。
　
５．当審の判断
　上記相違点について検討する。
（１）相違点１
　引用刊行物には、撮影レンズのズーム操作手段であるリング部材５０６について、「【００８７】本実施形態は、所謂「電子リング」と称するようなマニュアルズーム環（ＭＺ環，リング部材）５０６の回動操作により変倍部（１１２，１１４）を光軸上移動させてズーミング（変倍）を行う場合を示している。」（記載事項６）と記載され、また、カメラ本体側のズーム操作手段について、「１５７はズーム操作手段であり、撮影者がズーム操作によりワイド側からテレ側へ又はテレ側からワイド側へのズーミングを行っている。」（記載事項９）と記載されている。
　すなわち、引用発明は、変倍部（１１２，１１４）（変倍レンズ手段）のズーム動作を、撮影レンズ側（レンズ装置側）でも、カメラ本体側（カメラ装置側）でも行っているといえる。
　してみると、引用発明において、変倍部（１１２，１１４）（変倍レンズ手段）のズーム動作をカメラ本体側（カメラ装置側）で行うためには、レンズ側情報出力手段が出力し、カメラ側情報入力手段に入力するレンズ側の情報として、レンズ側ズーム操作手段の第１のズーム操作情報と変倍レンズ手段のズーム位置情報が必要であることは自明である。
　
　したがって、相違点１に係る本願発明の発明特定事項は格別なものではない。
　
（２）相違点２、４
　相違点２と相違点４とを合わせて検討する。
　
ア．相違点２について
（ア）第２のズーム操作情報について検討する。
　引用刊行物には、レンズマイコンでの処理を図示した図１１のフローチャートにおいて、判断「カメラ本体側ズーム操作？」（７０４）なるステップが記載されている。この判断のためには、本願発明の「第２のズーム操作情報」に相当するズーム操作信号（記載事項９）をカメラ本体側（カメラ装置側）から撮影レンズ側（レンズ装置側）に出力することは当然であって、本願発明のように、カメラ側情報出力手段がレンズ側情報入力手段に第２のズーム操作情報を出力するようにすることは、当業者にとって容易である。
　
（イ）次に、変倍レンズ手段のズーム動作を禁止する光学ズーム禁止情報について検討する。
　引用刊行物には、「【００７９】(2-3-2) 前記ズーム操作手段によりズーム操作がなされた場合、前記電子ズーム手段がＯＮ状態にあるときは該電子ズーム手段の駆動を優先させ、該電子ズーム手段がＯＦＦ状態にあるときは前記光学ズーム手段の駆動を優先させるプログラムが前記カメラＣＰＵ内に設けられており、前記レンズＣＰＵから該カメラＣＰＵ側へ、前記光学ズーム手段のズーム位置情報が入力されていること。等、を特徴としている。」
（記載事項４）と記載されている。
　上記記載において、「前記電子ズーム手段がＯＮ状態にあるときは該電子ズーム手段の駆動を優先させ」るときには、前記光学ズーム手段の駆動が禁止されることは当業者にとって自明な事項である。
　してみると、引用発明において、電子ズーム手段がＯＮのとき、本願発明の「変倍レンズ手段のズーム動作を禁止する光学ズーム禁止情報」に相当する情報をカメラ本体側（カメラ装置側）から撮影レンズ側（レンズ装置側）に出力することは容易である。
　
イ．相違点４について
　引用刊行物に記載された「前記電子ズーム手段がＯＮ状態にあるときは該電子ズーム手段の駆動を優先させ」（記載事項４）るときには、光学ズーム手段の駆動が禁止されることは、「相違点２について」で述べたように当業者にとって自明な事項である。
　そして、上記「電子ズーム手段がＯＮ状態にあるとき」とは、本願発明の「電子ズーム実行中」のことであるから、引用発明において、電子ズーム実行中にはカメラ本体（カメラ装置）から撮影レンズ（レンズ装置）に光学ズーム禁止情報を出力することは困難なことではない。
　
　したがって、相違点２、４に係る本願発明の発明特定事項は、いずれも当業者が引用刊行物の記載に基づいて容易に想到し得ることである。
　
（３）相違点３
　本願発明の
ａ．電子ズーム制御手段における電子ズームを行うか否かの判断
ｂ．変倍制御手段にて変倍レンズ手段によるズーム動作を行うか否かの判断
ｃ．第２のズーム操作情報よりも優先して第１のズーム操作情報とズーム位
　　置情報とに基づいて
の意味を請求人に審尋した（平成１８年１１月２日付けファクシミリ参照）。
　
　請求人は、平成１８年１１月２０日付けファクシミリにおいて
「上記ａ．の「判断」については、本願の図２に示したカメラマイコンの処理を示すフローチャートにより示されており、フロー全体において電子ズームを行うか否かの判断を行っています。
　上記ｂ．の「判断」については、本願の図１に示したレンズマイコンの処理を示すフローチャートにより示されており、フロー全体においてズーム動作を行うか否かの判断を行っています。
　上記ｃの「優先」については、「図１のフローチャートにおいては、ステップ８０３（第１のズーム操作情報によってレンズにおけるズーム情報が行われているか否かの判断）が、ステップ８０４（第２のズーム操作手段によってカメラにおけるズーム操作が行われているか否かの判断）より先に行われ、レンズのズーム操作が行われている場合には、ステップ８０４の処理は行われず、カメラのズーム操作が行われているか否かの判断を判断しません。このことは、第２のズーム操作情報の
内容に拘わらず
それぞれ回答した（第２ページ第７行〜下から３行）。
　
　そこで、請求人の回答を踏まえて、
ア．まず、本願発明における、変倍制御手段にて変倍レンズ手段によるズーム動作を行うか否かの判断を、第２のズーム操作情報よりも優先して第１のズーム操作情報とズーム位置情報とに基づいて行う点について検討する。
　
（ア）本願の図１のフローチャートと、引用刊行物に記載されたレンズマイコンでの処理を図示した図１１のフローチャートとを対比してみる。
　本願の図１においては、判断「レンズ側ズームリング非操作」（８０３）（そのための情報は本願発明の「第１のズーム操作情報」である）の結果がＹｅｓの場合、次のステップとして判断「カメラ側ズームキー非操作」（８０４）（そのための情報は本願発明の「第２のズーム操作情報」である）が記載され、また、判断「レンズ側ズームリング非操作」（８０３）の結果がＮｏの場合、それ以降のステップに判断「ワイド端？」（８０７）及び「テレ端？」（８０８）（そのための情報は、本願発明の「ズーム位置情報」である）が記載されている。
　他方、引用刊行物に記載された図１１においては、判断「Ｍｚ環操作？」（７０２）の結果がＮの場合、次のステップとして判断「カメラ本体側ズーム操作？」（７０４）が記載され、また、判断「Ｍｚ環操作？」（７０２）の結果がＹｅｓの場合、それ以降のステップに判断「テレ端か？」（７１７）が記載されている。
　なお、「Ｍｚ環」とは引用発明の「リング部材」のことであり、本願の図１記載の「レンズ側ズームリング」に相当する。
　
（イ）そして、判断「Ｍｚ環操作？」（７０２）のため情報として、引用発明の「変倍部（１１２，１１４）のズーム操作信号」、すなわち本願発明でいう「第１のズーム操作情報」が必要になることは明らかである。
　　
（ウ）次に、判断「テレ端か？」（７１７）のための情報について検討する。
（ウ−１）引用刊行物には、「【０１４６】尚、ズーム端であることの判別は前述のボリュームエンコーダーの出力等で判別している。」（記載事項１２）と記載されている。
　してみると、引用刊行物１に記載された、判断「テレ端か？」（７１７）のための「ボリュームエンコーダーの出力」は、本願発明の「ズーム位置情報」に相当する。
　
（ウ−２）そして、図１１のフロー全体において、本願発明と同様にズーム動作を行うか否かの判断を行っている。
　
（ウ−３）要するに、本願の図１のフローチャートと引用刊行物に記載された図１１のフローチャートにおける上記した判断ステップの優先関係が一致し、そのための情報も一致する。
　
（エ）したがって、引用刊行物には、変倍制御手段にて変倍レンズ手段によるズーム動作を行うか否かの判断を行うための情報として、本願発明と同様に、第２のズーム操作情報よりも優先して第１のズーム操作情報とズーム位置情報を用いているといえる。
　
イ．次に、本願発明における、電子ズーム制御手段における電子ズームを行うか否かの判断を、第２のズーム操作情報よりも優先して第１のズーム操作情報とズーム位置情報とに基づいて行う点について検討する。
　引用刊行物には、「【０１４７】図１２はこのうちステップ７１８（図１１に記載されている）でテレ側からワイド側方向への光学ズームの操作が行われたことがレンズマイコン４１０からカメラマイコン４０９へ通信されたことを受けたカメラマイコン４０９のフローチャートである。」と記載されており、引用刊行物に記載されたカメラマイコンでの処理を図示した図１２のフローチャートと上記図１１のフローチャートを含めて検討すると、引用刊行物には、図１１，１２のフロー全体において、電子ズーム制御手段による電子ズームを行うかの否かの判断を行うための情報として、本願発明と同様に、第２のズーム操作情報よりも優先して第１のズーム操作情報とズーム位置情報を用いているといえる。
　
ウ．してみると、相違点３に係る本願発明の発明特定事項は格別なものではない。
　
　そして、本願発明の効果は、引用刊行物の記載から当業者が予測し得る範囲内のものである。
　
　したがって、本願発明は、引用刊行物に記載された発明に基づいて当業者が容易に発明することができたものである。　　
　
６．むすび
　以上のとおり、本願発明は、引用刊行物に記載された発明に基づいて当業者が容易に発明することができたものであるから、特許法第２９条第２項により特許を受けることができない。
　
　よって、結論のとおり審決する。